(57)【要約】      （修正有）【課題】  プラズマディスプレイ装置などの表示装置の映像と、オーディオアンプ装置などの音声出力装置の出力音声との同期を、簡単に調整することができる音声出力装置を提供すること。【解決手段】  輝度変化を有する映像信号を発生する発生手段（テスト映像発生回路４ｆ）と、映像信号を表示装置に供給する供給手段（アナログ映像出力端子４ｐ）と、表示装置の表示部からの光を受光する受光手段（可視光受光部４ｍ）と、表示装置に映像信号が入力されてから映像が表示されるまでの時間を算出する算出手段（遅延量検出回路４ｊ）と、音声信号を入力する入力手段（アナログ音声入力端子４ｂ）と、算出手段によって算出された時間に対応する時間だけ音声信号を遅延する遅延手段（デジタル遅延回路４ｉ）と、遅延された音声信号を音声再生装置に出力する出力手段（アナログ音声出力端子４ｑ）と、を有する。【選択図】  図３
2006217005.tif 000002
【特許請求の範囲】
【請求項１】
所定の輝度変化または所定の色変化を有する映像信号を発生する発生手段と、
上記発生手段によって発生された映像信号を表示装置に供給する供給手段と、
上記映像信号を表示する上記表示装置の表示部からの光を受光する受光手段と、
上記受光手段の出力および上記発生手段の出力に基づいて、上記表示装置に映像信号が入力されてから映像が表示されるまでに要する時間を算出する算出手段と、
動画を含む映像信号とこれに同期した音声信号のうち、音声信号を入力する入力手段と、
上記算出手段によって算出された時間に対応する所定の時間だけ上記音声信号を遅延する遅延手段と、
上記遅延手段によって遅延された上記音声信号を音声再生装置に出力する出力手段と、
を有することを特徴とする音声出力装置。
【請求項２】
前記映像信号は、画面全面の輝度を変化させる信号であることを特徴とする請求項１記載の音声出力装置。
【請求項３】
前記映像信号は、１フレーム毎に輝度変化を繰り返して行う信号であることを特徴とする請求項１記載の音声出力装置。
【請求項４】
前記映像信号は、数フレーム毎に複数フレームの映像を繰り返す信号をさらに有することを特徴とする請求項２または３記載の音声出力装置。
【請求項５】
前記算出手段は、前記供給手段に与えられる映像信号において、前記受光手段に検出されるように設定した信号変化のタイミングと、前記受光手段から得られる信号において実際に光量変化が生じるタイミングとの差を検出することを特徴とする請求項１記載の音声出力装置。
【請求項６】
前記算出手段は、前記映像信号に含まれる同期パターンを検出してから、算出処理を行うことを特徴とする請求項１記載の音声出力装置。
【請求項７】
前記算出手段は、所定の輝度変化あるいは所定の色変化が当該映像信号の２フレーム以上の間隔で生じる映像信号に基づいて、算出処理を行うことを特徴とする請求項１記載の音声出力装置。
【請求項８】
前記受光手段は、前記表示装置の表示部の中央付近の領域からの光を受光することを特徴とする請求項１記載の音声出力装置。
【請求項９】
前記受光手段は、前記表示装置の表示部に表示されたマークによって示された領域からの光を受光することを特徴とする請求項１記載の音声出力装置。
【請求項１０】
前記受光手段は、前記表示装置の表示部の前記領域付近に貼り付けられた状態で、前記領域からの光を受光することを特徴とする請求項８または９記載の音声出力装置。
【請求項１１】
前記受光手段は、本音声出力装置に設けられていることを特徴とする請求項１記載の音声出力装置。
【請求項１２】
当該音声出力装置とは別体として形成され、前記受光手段および前記受光手段の出力を送信する送信手段を有する遠隔ユニットと、
上記遠隔ユニットが送信した送信信号を受信する受信ユニットと、
を有することを特徴とする請求項１記載の音声出力装置。
【請求項１３】
前記遅延手段の遅延時間を設定している期間中は、前記発生手段が発生する映像信号を選択して前記供給手段に供給し、それ以外の場合には動画を含む映像信号とこれに同期した音声信号のうち映像信号を選択して前記供給手段に供給する選択手段をさらに有することを特徴とする請求項１記載の音声出力装置。
【請求項１４】
請求項１から６の中のいずれか１項記載の音声出力装置と、
前記音声出力装置に接続され、前記発生手段によって発生された前記所定の輝度変化あるいは所定の色変化を有する映像を表示する表示装置と、
を有することを特徴とする同期調整システム。
【請求項１５】
所定の輝度変化または所定の色変化を有する映像信号を発生する発生ステップと、
上記発生ステップによって発生された映像信号を表示装置に供給する供給ステップと、
上記映像信号を表示する上記表示装置の表示部からの光を受光する受光ステップと、
上記受光ステップの出力および上記発生ステップの出力に基づいて、上記表示装置に映像信号が入力されてから映像が表示されるまでに要する時間を算出する算出ステップと、
動画を含む映像信号とこれに同期した音声信号を上記算出ステップによって算出された時間に対応する所定の時間だけ上記音声信号を遅延する遅延ステップと、
上記遅延ステップによって遅延された上記音声信号を音声再生装置に出力する出力ステップと、
を有することを特徴とする同期調整方法。
【発明の詳細な説明】
【技術分野】
【０００１】
本発明は、音声出力装置、同期調整システムおよび同期調整方法に関する。
【背景技術】
【０００２】
特許文献１は、テレビジョンの映像信号と音声信号の時間差測定装置を開示する。特許文献１の時間差測定装置は、同時に発生したテレビジョンの映像信号と音声信号とがそれぞれ別の伝送路または信号処理回路を介して伝送または処理されたのちモニタに供されるとき、モニタ時点における映像信号と音声信号の到達時間差を測定するものである。
【０００３】
特許文献１の時間差測定装置は、映像信号と音声信号の到達時間差を測定するために、テレビジョンの映像信号と音声信号とに基づいてそれぞれテレビジョンの映像と音声とを得る手段と、該得られたテレビジョンの映像の画面中前記画面の一部における時間的な輝度の変化を対応したレベルの電気信号に変換する光−電気変換器と、該光−電気変換器によって得られた電気信号を２値のパルス信号に整形する第１の波形整形回路と、該第１の該波形整形回路の出力から１パルスを発生する第１の１パルス発生回路と、得られたテレビジョンの音声を該音声のレベルに対応した電気信号に変換するマイクロホンと、該マイクロホンによって得られた電気信号を微分する微分回路と、該微分回路の出力を２値のパルス信号に整形する第２の波形整形回路と、該第２の波形整形回路の出力から１パルスを発生する第２の１パルス発生回路と、前記第１の１パルス発生回路の出力でゲートオンし前記第２の１パルス発生回路の出力でゲートオフするゲート回路と、該ゲート回路がゲートオンとなっている期間を当該期間に含まれるクロックパルスの数をカウントすることにより測定するカウンタ回路と、該カウンタ回路によるカウント結果を表示する時間表示器と、を備える。
【０００４】
【特許文献１】特開平１０−２８５４８３号公報（特許請求の範囲、発明の詳細な説明など）
【発明の開示】
【発明が解決しようとする課題】
【０００５】
ところで、近年、プラズマディスプレイ装置等に代表されるディジタルフラットディスプレイが開発され、普及しはじめている。この中でプラズマディスプレイ装置は、ＴＦＴ（Ｔｈｉｎ  Ｆｉｌｍ  Ｔｒａｎｓｉｓｔｏｒ）を使用する一般的な液晶ディスプレイ装置に比べて、大画面のものを製品化しやすいというメリットがある。プラズマディスプレイ装置は、その大画面で高画質な表示能力のために、たとえばオーディオアンプ装置などと組み合わせて、ホームシアターシステムとして利用される場合がある。
【０００６】
しかしながら、このディジタル平面ディスプレイ装置と、オーディオアンプ装置などを組み合わせて使用する場合、以下のような問題が生じる。
【０００７】
例えば、プラズマディスプレイ装置を例にとると、そのディスプレイドライバがプラズマ発光表示部のアドレス電極および表示電極に電圧を印加し、この電圧で所望の放電セル内でプラズマ放電を発生し、そのプラズマ放電にともなう紫外線でその放電セルに設けられた蛍光体を発光させている。また、プラズマディスプレイ装置は、それに入力された動画を、プラズマ発光表示部のアドレス電極および表示電極に与える制御信号へ変換するために、映像Ａ／Ｄ変換部、信号処理部、ディスプレイドライバなどの信号処理系の回路を有する。
【０００８】
そのため、プラズマディスプレイ装置は、アナログ映像信号が入力されてから、その信号に基づく表示画面が表示されるまでに大きな遅延時間が発生する。プラズマディスプレイ装置では、特に大きな遅延時間を生じる場合もある。表示画面の遅れは、数十〜数百ミリ秒にもなることがある。
【０００９】
このようにディジタルフラットパネルディスプレイ装置は、それに信号が入力されてからその信号に基づく表示画面を表示するまでに大きな遅延が発生している。その結果、これらの装置とオーディオアンプ装置などを組み合わせて使用する場合、表示装置が映像を表示するより先に、オーディオアンプ装置から音声が出力されてしまう。つまり、映像より音が先行して出力されてしまう。たとえば、二人の人が喧嘩をしている場面では、殴る音がしてから、人が殴られる画面が表示されてしまう。
【００１０】
人は、映像より音が遅れる場合には、たとえば遠くで雷がなっている場合を想像すれば解るように、自分の遠方において映像の場面が展開されていると感じ、違和感を生じ難い。しかしながら、映像より音が先行した場合、現実社会ではありえないことになるので、その先行の程度が非常にわずかな時間であったとしても、違和感を生じ易い。
【００１１】
このような状況は、他の方式の表示装置でも大なり小なり起こり得る。
【００１２】
そして、このような違和感が生じないように、プラズマディスプレイ装置の映像と、オーディオアンプ装置から出力される音声との同期を調整しようとする場合、特許文献１に記載されているような時間差測定装置を用いて、映像と音声とのずれ量の値を測定しなければならない。このような時間差測定装置は、映像と音声とのずれ量の値の測定のためだけに使用するものであり、一般人が気軽に購入して利用することができるようなものではない。
【００１３】
本発明は、プラズマディスプレイ装置などの表示装置の映像と、オーディオアンプ装置などの音声出力装置の出力音声との同期を、簡単に調整することができる音声出力装置、同期調整システムおよび同期調整方法を得ることを目的とする。
【課題を解決するための手段】
【００１４】
上述の目的を達成するため、本発明の音声出力装置は、所定の輝度変化または所定の色変化を有する映像信号を発生する発生手段と、発生手段によって発生された映像信号を表示装置に供給する供給手段と、映像信号を表示する表示装置の表示部からの光を受光する受光手段と、受光手段の出力および発生手段の出力に基づいて、表示装置に映像信号が入力されてから映像が表示されるまでに要する時間を算出する算出手段と、動画を含む映像信号とこれに同期した音声信号のうち、音声信号を入力する入力手段と、算出手段によって算出された時間に対応する所定の時間だけ音声信号を遅延する遅延手段と、遅延手段によって遅延された音声信号を音声再生装置に出力する出力手段と、を有する。
【００１５】
また、他の発明の音声出力装置は、上述の発明に加えて、映像信号が、画面全面の輝度を変化させる信号であることを特徴とする。
【００１６】
また、他の発明の音声出力装置は、上述の発明に加えて、映像信号が、１フレーム毎に輝度変化を繰り返して行う信号である。
【００１７】
また、他の発明の音声出力装置は、上述の各発明に加えて、映像信号が、数フレーム毎に複数フレームの映像を繰り返す信号をさらに有する。
【００１８】
また、他の発明の音声出力装置は、上述の発明に加えて、算出手段が、供給手段に与えられる映像信号において、受光手段に検出されるように設定した信号変化のタイミングと、受光手段から得られる信号において実際に光量変化が生じるタイミングとの差を検出する。
【００１９】
また、他の発明の音声出力装置は、上述の発明に加えて、算出手段が、映像信号に含まれる同期パターンを検出してから、算出処理を行う。
【００２０】
また、他の発明の音声出力装置は、上述の発明に加えて、算出手段が、所定の輝度変化あるいは所定の色変化が当該映像信号の２フレーム以上の間隔で生じる映像信号に基づいて、算出処理を行う。
【００２１】
また、他の発明の音声出力装置は、上述の発明に加えて、受光手段が、表示装置の表示部の中央付近の領域からの光を受光することを特徴とする。
【００２２】
また、他の発明の音声出力装置は、上述の発明に加えて、受光手段が、表示装置の表示部に表示されたマークによって示された領域からの光を受光する。
【００２３】
また、他の発明の音声出力装置は、上述の発明に加えて、受光手段が、表示装置の表示部の領域付近に貼り付けられた状態で、領域からの光を受光する。
【００２４】
また、他の発明の音声出力装置は、上述の発明に加えて、受光手段が、本音声出力装置に設けられている。
【００２５】
また、他の発明の音声出力装置は、上述の発明に加えて、当該音声出力装置とは別体として形成され、受光手段および受光手段の出力を送信する送信手段を有する遠隔ユニットと、遠隔ユニットが送信した送信信号を受信する受信ユニットと、を有する。
【００２６】
また、他の発明の音声出力装置は、上述の発明に加えて、遅延手段の遅延時間を設定している期間中は、発生手段が発生する映像信号を選択して供給手段に供給し、それ以外の場合には動画を含む映像信号とこれに同期した音声信号のうち映像信号を選択して供給手段に供給する選択手段をさらに有する。
【００２７】
また、本発明の同期調整システムは、上述の各発明の音声出力装置に加えて、音声出力装置に接続され、発生手段によって発生された所定の輝度変化あるいは所定の色変化を有する映像を表示する表示装置を有する。
【００２８】
また、本発明の同期調整方法は、所定の輝度変化または所定の色変化を有する映像信号を発生する発生ステップと、発生ステップによって発生された映像信号を表示装置に供給する供給ステップと、映像信号を表示する表示装置の表示部からの光を受光する受光ステップと、受光ステップの出力および発生ステップの出力に基づいて、表示装置に映像信号が入力されてから映像が表示されるまでに要する時間を算出する算出ステップと、動画を含む映像信号とこれに同期した音声信号を算出ステップによって算出された時間に対応する所定の時間だけ音声信号を遅延する遅延ステップと、遅延ステップによって遅延された音声信号を音声再生装置に出力する出力ステップと、を有する。
【発明の効果】
【００２９】
本発明は、プラズマディスプレイ装置などの表示装置の映像と、オーディオアンプ装置などの音声出力装置の出力音声との同期を、簡単に調整することができる音声出力装置、同期調整システムおよび同期調整方法を提供することができる。
【発明を実施するための最良の形態】
【００３０】
以下、本発明の実施の形態に係る音声出力装置、同期調整システムおよび同期調整方法を、図面に基づいて説明する。なお、音声出力装置は、オーディオアンプ装置を例として説明する。同期調整方法は、同期調整システムの動作として説明する。
【００３１】
実施の形態１．
図１は、本発明の実施の形態１に係る同期調整システムを示す図である。同期調整システムは、映像および音声が記録された記録媒体としてのディスク１と、このディスク１を再生する音声信号再生装置としてのディスク再生装置２と、表示装置としてのプラズマディスプレイ装置３と、音声出力装置としてのオーディオアンプ装置４と、スピーカ５と、を有する。
【００３２】
図２は、図１中のプラズマディスプレイ装置３の構成を示すブロック図である。同期調整の対象であるプラズマディスプレイ装置３は、アナログ映像入力端子３ａ、映像Ａ／Ｄ（Ａｎａｌｏｇ  ｔｏ  Ｄｉｇｉｔａｌ）変換部３ｃ、信号処理部３ｄ、ディスプレイドライバ３ｅ、および、プラズマ発光表示部３ｆ、を有する。また、プラズマディスプレイ装置３は、アナログ音声入力端子３ｂ、アンプ回路３ｈ、および、内蔵スピーカ３ｉを有する。
【００３３】
プラズマ発光表示部３ｆは、図示外の複数の放電セルを有する。複数の放電セルは、二次元のマトリックス状に配列される。放電セルは、表示画素の色要素（たとえば赤、緑、青などの色の組合せにおける各色）毎に形成される。
【００３４】
放電セルは、アドレス電極と表示電極との間にある空洞内にガスが封入された構造を有する。空洞内には、それぞれの放電セルの表示色に蛍光する蛍光体が配設される。アドレス電極と表示電極との間に高電圧が印加されると、封入されたガスがプラズマ発光する。そのプラズマ発光により発生する紫外線で、その放電セルに設けられた蛍光体がそれぞれの表示色を発光する。
【００３５】
プラズマディスプレイ装置３のアナログ映像入力端子３ａには、アナログ映像信号が入力される。アナログ映像信号には、たとえばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式やＰＡＬ（Ｐｈａｓｅ  Ａｌｔｅｒｎａｔｉｎｇ  Ｌｉｎｅ）方式でのアナログビデオ信号や、デジタル放送の映像入出力のためのフォーマットによるアナログビデオ信号などがある。デジタル放送の映像入出力のためのフォーマットによるアナログビデオ信号が入力されるアナログ映像入力端子は、一般的にＤ１端子などと呼ばれている。
【００３６】
これらのアナログ映像信号は、たとえば１／３０秒などの所定の期間毎に、１つの表示画面に関する映像信号を有する。アナログ映像信号において１つの表示画面の映像信号は、その表示画面をブラウン管を用いたビーム走査式のディスプレイ装置で表示する場合の、水平走査線毎の輝度分布に対応する波形成分を単位として構成される。１つの表示画面は、たとえば４８０個、５２５個などの所定数の水平走査線毎の波形成分で構成される。
【００３７】
プラズマディスプレイ装置３のアナログ映像入力端子３ａは、映像Ａ／Ｄ変換部３ｃに接続される。映像Ａ／Ｄ変換部３ｃは、アナログ映像入力端子３ａに入力されるアナログ映像信号をサンプリングして、デジタル信号に変換して出力する。信号処理部３ｄは、映像Ａ／Ｄ変換部３ｃによるサンプリングデータに基づいて、アナログ映像信号における表示画面毎に、二次元画像データを生成する。ディスプレイドライバ３ｅは、プラズマ発光表示部３ｆのアドレス電極および表示電極に、信号処理部３ｄが生成した二次元画像データに応じた電圧を印加する。あるアドレス電極と表示電極との電位差が高電圧になると、そのアドレス電極および表示電極に対応する放電セルは、プラズマ放電し、所定の表示色で蛍光する。
【００３８】
このように、アナログ映像入力端子３ａに入力されるアナログ映像信号における表示画面の波形成分に基づいて、プラズマ発光表示部３ｆは、表示画面を表示する。プラズマ発光表示部３ｆが表示する表示画面は、アナログ映像信号が次の表示画面の波形成分に切り替わったら、それに応じて切り替わる。これにより、プラズマディスプレイ装置３は、アナログ映像信号に基づいて、表示画面が所定の周期で切り替わる動画を表示することができる。
【００３９】
プラズマディスプレイ装置３のアナログ音声入力端子３ｂには、アナログ音声信号が入力される。アナログ音声信号は、所定の音声の波形成分を有する信号である。アナログ音声信号は、それに基づいてスピーカ３ｉを駆動することで、そのスピーカ３ｉからアナログ音声信号に信号化されている所定の音声を出力することができる信号である。
【００４０】
アナログ音声入力端子３ｂは、アンプ回路３ｈに接続される。アンプ回路３ｈは、アナログ音声入力端子３ｂから供給されるアナログ音声信号を増幅する。アンプ回路３ｈは、増幅したアナログ音声信号を内蔵スピーカ３ｉへ出力する。内蔵スピーカ３ｉは、増幅されたアナログ音声信号の波形成分にしたがって振動される。プラズマディスプレイ装置３は、アナログ音声入力端子３ｂに入力されたアナログ音声信号にしたがった音声を出力する。
【００４１】
図３は、図１中のオーディオアンプ装置４の構成を示すブロック図である。オーディオアンプ装置４は、アナログ映像入力端子４ａ、アナログ音声入力端子４ｂ、入力部４ｃ、音声Ａ／Ｄ変換部４ｄ、映像入力切換回路４ｅ、テスト映像発生回路４ｆ、制御回路４ｇ、遅延データメモリ４ｈ、デジタル遅延回路４ｉ、遅延量検出回路４ｊ、音声Ｄ／Ａ（Ｄｉｇｉｔａｌ  ｔｏ  Ａｎａｌｏｇ）変換部４ｋ、可視光受光部４ｍ、アンプ回路４ｎ、アナログ映像出力端子４ｐ、および、アナログ音声出力端子４ｑを有している。
【００４２】
ここで、アナログ映像入力端子４ａには、接続ケーブル６が接続され、ディスク再生装置２から出力されたアナログ映像信号が入力される。選択手段としての映像入力切換回路４ｅは、同期調整を行う際には、テスト映像発生回路４ｆの出力を選択し、それ以外の場合にはアナログ映像入力端子４ａの出力を選択して出力する。供給手段としてのアナログ映像出力端子４ｐには、接続ケーブル８が接続され、映像入力切換回路４ｅによって選択されたアナログ映像信号をプラズマディスプレイ装置３に出力する。発生手段としてのテスト映像発生回路４ｆは、同期調整を行うためのテスト映像信号を発生して映像入力切換回路４ｅに供給する。なお、アナログ映像入力端子４ａは、実際には後述するアナログ音声入力端子４ｂとともに複数設けられており、図示せぬセレクタによって任意の端子からの映像信号と音声信号が選択されてアナログ映像出力端子４ｐおよび出力手段としてのアナログ音声出力端子４ｑから出力される。
【００４３】
入力手段としてのアナログ音声入力端子４ｂには、接続ケーブル７が接続され、ディスク再生装置２から出力されたアナログ音声信号を入力する。入力部４ｃは、ユーザの入力操作に応じて、数値などの入力データを出力する。音声Ａ／Ｄ変換部４ｄは、アナログ音声入力端子４ｂに入力されるアナログ音声信号をサンプリングし、デジタル信号に変換して出力する。遅延手段としてのデジタル遅延回路４ｉは、それに入力されるデジタル値を、遅延データメモリ４ｈが記憶する遅延データの値に相当する時間だけ遅らせて出力する。遅延データメモリ４ｈは、例えば、不揮発性の半導体メモリ等によって構成され、デジタル遅延回路４ｉの遅延量を決定するための遅延データを保持している。これにより、音声Ｄ／Ａ変換部４ｋからは、アナログ音声入力端子４ｂに入力されるアナログ音声信号を、遅延データメモリ４ｈが記憶する遅延データの値に相当する時間だけ遅らせたアナログ音声信号が出力される。
【００４４】
なお、発明者らの調査テストにより、２００ミリ秒以上、音声が先行する場合、普通の人であってもその音の先行が気になることが分っている。そのため、遅延データメモリ４ｈおよびデジタル遅延回路４ｉは、たとえば１００ミリ秒以上、好ましくは２００ミリ秒以上、デジタル値を遅らせて出力できるように構成するとよい。
【００４５】
制御回路４ｇは、例えば、ＣＰＵ（Central Processing Unit）等によって構成され、装置の各部を制御する。算出手段としての遅延量検出回路４ｊは、テスト映像発生回路４ｆから出力されたテスト映像信号と、可視光受光部４ｍの出力信号（プラズマディスプレイ装置３の表示部の輝度変化または色変化に対応する信号）とを比較して、プラズマディスプレイ装置３に映像信号が入力されてから映像が表示されるまでの遅延量を検出する。
【００４６】
可視光受光部４ｍは、プラズマディスプレイ装置３の表示部からの可視光を受光する。すなわち、可視光受光部４ｍは、受光する可視光の色の変化や光量の変化に応じて値が変化する受光データを出力する。フォトセンサは、受光する光量に応じた電流を出力する。たとえば赤色フィルタを有するフォトトランジスタと、青色フィルタを有するフォトトランジスタとを組み合わせることで、赤色と青色とを区別することができる。可視光受光部４ｍは、たとえば、このようなフォトトランジスタを有し、そのフォトトランジスタの出力電流に応じて値が変化する受光データを出力するようにすればよい。
【００４７】
音声Ｄ／Ａ変換部４ｋは、デジタル遅延回路４ｉから出力されたデジタル音声信号をアナログ音声信号に変換して出力する。アンプ回路４ｎは、音声Ｄ／Ａ変換部４ｋの出力を所定のゲインで増幅して出力する。アナログ音声出力端子４ｑには、図１に示すように、スピーカ５が接続される。スピーカ５は、アナログ音声信号に信号化されている所定の音声を出力する。
【００４８】
本発明の実施の形態１に係る同期調整システムは、以上のような構成および機能を有する、例えば、プラズマディスプレイ装置のように映像の出力に時間がかかる表示装置の音声の同期を調整するためのものである。すなわち、本発明の実施の形態１に係る同期調整システムは、アナログ映像信号に基づいてプラズマディスプレイ装置３が表示する動画と、アナログ音声信号に基づいてオーディオアンプ装置４に接続されるスピーカ５が出力する音声との同期を調整するためのものである。
【００４９】
ディスク１は、ディスク再生装置２により読み取り可能な光ディスクである。光ディスクには、ＤＶＤ−ＲＯＭ、ＤＶＤ−ＲＡＭ、ＤＶＤ−Ｒ、ＤＶＤ＋Ｒ、ＣＤ、ＣＤ−Ｒなどがある。ディスク１には、動画を含む映像および音声が記録される。
【００５０】
つぎに、図１に示す音声同期システムを用いた、プラズマディスプレイ装置３とオーディオアンプ装置４との同期を調整する調整方法について説明する。
【００５１】
ユーザは、まず、接続ケーブル６〜９を用いて、ディスク再生装置２と、プラズマディスプレイ装置３と、オーディオアンプ装置４とを接続する。具体的には、接続ケーブル６を用いて、ディスク再生装置２のアナログ映像出力端子（不図時）を、オーディオアンプ装置４のアナログ映像入力端子４ａに接続する。接続ケーブル７を用いて、ディスク再生装置２のアナログ音声出力端子（不図時）を、オーディオアンプ装置４のアナログ音声入力端子４ｂに接続する。接続ケーブル８を用いて、オーディオアンプ装置４のアナログ映像出力端子４ｐを、プラズマディスプレイ装置３のアナログ映像入力端子３ａに接続する。接続ケーブル９を用いて、オーディオアンプ装置４のアナログ音声出力端子４ｑを、スピーカ５およびプラズマディスプレイ装置３のアナログ音声入力端子３ｂに接続する。なお、アナログ音声入力端子３ｂへの接続は省略してもよい。
【００５２】
つぎに、プラズマディスプレイ装置３とオーディオアンプ装置４とを、プラズマ発光表示部３ｆと可視光受光部４ｍとが向かい合わせとなるように配置する。これにより、プラズマ発光表示部３ｆが表示する動画の光は、可視光受光部４ｍに入射する。
【００５３】
以上の前準備が完了した後、ユーザは、入力部４ｃを操作して、同期調整処理を実行させるための指示を行う。制御回路４ｇは、入力部４ｃから同期調整処理の要請がなされたことを検出し、まず、映像入力切換回路４ｅをアナログ映像入力端子４ａからテスト映像発生回路４ｆ側に切り換える。つづいて、制御回路４ｇは、テスト映像発生回路４ｆを制御してテスト映像の発生を開始させる。なお、テスト映像信号は、後述するように、画面全体が黒一色となる黒画面と、白一色となる白画面とをフレーム単位で交互に表示させるための信号である。
【００５４】
図４は、図１に示す同期調整システムにおける各種の信号波形を示すタイミングチャートである。ここで、図４（Ａ）は、テスト映像発生回路４ｆから出力されるテスト映像信号の一例を示している。この例では、ＮＴＳＣ方式でのアナログビデオ信号であり、１つのフレームは、複数の水平走査信号により構成される。また、図４（Ｂ）に示すように、テスト映像信号は、白画面と黒画面とがフレーム単位で交互に繰り返される映像信号である。ここで、白画面における水平走査信号には、高い輝度信号成分が含まれる。黒画面における水平走査信号には、低い輝度信号成分が含まれる。水平走査信号は、１フレーム毎に、高い輝度信号成分のものと、低い輝度信号成分のものとに切り替わる。
【００５５】
テスト映像発生回路４ｆから出力されたテスト映像信号は、映像入力切換回路４ｅを経由して、アナログ映像出力端子４ｐから出力される。アナログ映像出力端子４ｐから出力されたテスト映像信号は、接続ケーブル８を介してプラズマディスプレイ装置３のアナログ映像入力端子３ａに入力される。
【００５６】
プラズマディスプレイ装置３の映像Ａ／Ｄ変換部３ｃは、そのアナログ映像入力端子３ａに入力されたテスト映像信号をサンプリングし、デジタル信号に変換して出力する。信号処理部３ｄは、サンプリングデータに基づいて二次元画像データを生成し、ディスプレイドライバ３ｅは、二次元画像データに基づいて、プラズマ発光表示部３ｆのアドレス電極および表示電極の印加電圧を制御する。プラズマ発光表示部３ｆでは、アドレス電極と表示電極との電位差が高電圧になった放電セルがそれぞれの表示色で蛍光する。
【００５７】
これにより、プラズマディスプレイ装置３のプラズマ発光表示部３ｆには、図４（Ｃ）に示すように、１フレーム毎に、白色の表示画面と黒色の表示画面とが交互に表示される。ここで、図４（Ａ）に示されるテスト映像発生回路４ｆから出力されたテスト映像信号と、図４（Ｃ）に示される実際の表示画像との間には、遅延時間Ｔｄが存在している。これは、テスト映像信号がプラズマディスプレイ装置３に入力されてからプラズマ発光表示部３ｆに表示されるまでに、映像Ａ／Ｄ変換部３ｃ、信号処理部３ｄ、および、ディスプレイドライバ３ｅ等の処理に時間が必要となるためと、ディスプレイドライバ３ｅから駆動信号が出力され、プラズマ発光表示部３ｆから蛍光が発生するまでに時間を要することに起因している。本実施の形態１に係る同期調整システムでは、当該遅延時間Ｔｄを測定し、デジタル遅延回路４ｉの遅延量を遅延時間Ｔｄに応じて設定することにより、映像と音声との同期をとるものである。
【００５８】
プラズマディスプレイ装置３のプラズマ発光表示部３ｆと向かい合わせに配置される可視光受光部４ｍは、プラズマ発光表示部３ｆに表示される動画に応じた受光データを出力する。受光データは、図４（Ｄ）に示すように、プラズマ発光表示部３ｆに白色の表示画面が表示されている時と、黒色の表示画面が表示されている時とで異なる値になるので、受光データは、１フレーム毎に異なる値になる。
【００５９】
遅延量検出回路４ｊは、テスト映像発生回路４ｆが出力するテスト映像信号（図４（Ａ）参照）と、可視光受光部４ｍからの受光データ（図４（Ｄ）参照）とを比較して、遅延量Ｔｄを検出する。具体的には、遅延量検出回路４ｊは、可視光受光部４ｍからの受光データの値が所定の値以上変化した変化タイミングと、テスト映像発生回路４ｆが発生する映像信号のフレームが変化したタイミングとの時間差を検出する。
【００６０】
遅延量検出回路４ｊが遅延量Ｔｄの検出を終了すると、制御回路４ｇは、得られた遅延量Ｔｄを取得し、これに対応する遅延データを生成し、遅延データメモリ４ｈに記憶させる。具体的には、遅延データが“１”である場合のデジタル遅延回路４ｉの遅延量が、例えば、１ｍｓである場合には、遅延量Ｔｄを１ｍｓで除算した値を遅延データとする。なお、遅延データメモリ４ｈは、不揮発性の半導体メモリによって構成されていることから、遅延データが一旦書き込まれた後は、オーディオアンプ装置４の電源がオフの状態にされた場合でも遅延データは保持される。
【００６１】
遅延データの設定が完了すると、制御回路４ｇは、映像入力切換回路４ｅの接続を、テスト映像発生回路４ｆからアナログ映像入力端子４ａ側に切り換える。その結果、ディスク再生装置２から出力されるアナログ映像信号が入力される状態となる。なお、遅延データの書き換えが終了した場合には、テスト映像発生回路４ｆから所定の映像を出力して、同期調整が完了したことをユーザに通知するようにしてもよい。
【００６２】
遅延データの設定が完了した後には、遅延データメモリ４ｈには、前述した処理により得られた遅延データが記憶される。したがって、その後に、たとえばディスク再生装置２で映画、コンサート、録画番組などを再生したときには、音声は、遅延データメモリ４ｈに保持されている遅延データの値にしたがって遅延されて出力される。具体的には、例えば、図４（Ａ）に示すような映像信号に同期した、図４（Ｅ）に示すような音声信号がオーディオアンプ装置４に入力された場合、プラズマ発光表示部３ｆに表示される映像は、図４（Ｃ）に示すようにＴｄだけ遅延を有するので、音声信号を遅延なしに出力すると、音声の方が映像よりも先に出力されることになる。しかしながら、デジタル遅延回路４ｉによってＴｄだけ遅延して出力すれば、図４（Ｆ）に示すように、映像と音声の出力が同期することになるので、ユーザは、動画に対する音のずれによる違和感を感ずることなく鑑賞することができる。
【００６３】
以上のように、この実施の形態１に係る同期調整システムを用いることで、アナログ映像信号に基づいてプラズマディスプレイ装置３が表示する動画と、アナログ音声信号に基づいてオーディオアンプ装置４が出力する音声とを同期させるように調整することができる。
【００６４】
また、この実施の形態１に係る同期調整システムでは、テスト映像発生回路４ｆにより、同期調整のためにプラズマディスプレイ装置３へ入力させるアナログ映像信号を発生し、アナログ映像信号に基づいてプラズマディスプレイ装置３に表示される動画による光を受光し、その受光した光の切り替わりタイミングと、もとのテスト映像信号とを比較して遅延量Ｔｄを求めている。
【００６５】
その結果、この実施の形態１に係る同期調整システムを用いることで、プラズマディスプレイ装置３とオーディオアンプ装置４との同期を調整するために、たとえば同期調整のためのアナログ映像信号とアナログ音声信号とを発生する専用の同期信号発生装置を使用することなく同期調整をすることができる。しかも、プラズマディスプレイ装置３とオーディオアンプ装置４とを購入したユーザが自宅において、特別な専用機器を購入したりすることなく、自動的に、それらの同期調整を実施することができる。
【００６６】
また、この実施の形態１に係る同期調整システムを用いることで、たとえば、動画と音声とが同期している単一の時報の動画および音声をディスク再生装置２などにおいて再生し、その状況下で遅延量を調整することで、動画と音声とが一致する遅延量を自らの感覚のみで探す場合に比べて、ユーザは、極めて容易、正確、かつ、短時間に、動画と音声とが同期するように調整することができる。
【００６７】
なお、上記実施の形態１では、入力部４ｃからユーザが同期調整処理を実行する指示を与えたときに、上述の処理が実行されるようにした。しかしながら、例えば、装置を購入後に初めて電源を投入した場合に以上の処理が自動的に実行されるようにしたり、定期的に（例えば、１ヶ月毎に）自動的に実行されたりするようにしてもよい。
【００６８】
実施の形態２．
本発明の実施の形態２に係る同期調整システムは、ディスク再生装置２、プラズマディスプレイ装置３、オーディオアンプ装置４、および、スピーカ５を有する。ディスク再生装置２、プラズマディスプレイ装置３、オーディオアンプ装置４およびスピーカ５の接続関係は、実施の形態１の図１に示すものと同じである。
【００６９】
図５は、実施の形態２のオーディオアンプ装置４の構成を示すブロック図である。オーディオアンプ装置４は、遠隔ユニットとしてのリモコンユニット１０と、受信ユニットとしてのリモコン受光部４ｒと、を有する。
【００７０】
図６は、図５中のリモコンユニット１０の構成を示すブロック図である。遠隔ユニットとしてのリモコンユニット１０は、テンキーなどの操作ボタン１０ａ、送信信号生成部１０ｂ、可視光受光部１０ｃ、切換スイッチ１０ｄ、および、赤外線送信部１０ｅを有する。
【００７１】
送信信号生成部１０ｂは、ユーザによる操作ボタン１０ａの操作に応じて、操作毎に予め決められた入力データを出力する。
【００７２】
受光手段としての可視光受光部１０ｃは、プラズマディスプレイ装置３の表示部からの可視光を受光する。可視光受光部１０ｃは、受光する可視光の色の変化や光量の変化に応じて値が変化する受光データを出力する。
【００７３】
切換スイッチ１０ｄには、送信信号生成部１０ｂおよび可視光受光部１０ｃが接続される。切換スイッチ１０ｄは、送信信号生成部１０ｂが出力する入力データと、可視光受光部１０ｃが出力する受光データの中の一方を選択し、出力する。
【００７４】
送信手段としての赤外線送信部１０ｅには、切換スイッチ１０ｄが接続される。赤外線送信部１０ｅは、切換スイッチ１０ｄから出力されるデータで赤外線を変調し、その変調した赤外線を出力する。
【００７５】
図５に戻り、受信ユニットとしてのオーディオアンプ装置４のリモコン受光部４ｒは、リモコンユニット１０からの赤外線を受光する。リモコン受光部４ｒは、受光した赤外線に重畳されているデータを抽出して出力する。
【００７６】
なお、これ以外のオーディオアンプ装置４の構成要素は、実施の形態１の同名のものと同じ構成要素であり、各構成要素に実施の形態１の同名のものと同一の符号を付してその図示および説明を省略する。また、ディスク１、ディスク再生装置２、プラズマディスプレイ装置３の構成要素は、実施の形態１の同名のものと同じ構成要素であり、各構成要素に実施の形態１の同名のものと同一の符号を付してその図示および説明を省略する。
【００７７】
つぎに、本発明の実施の形態２に係る同期調整システムを用いた、プラズマディスプレイ装置３とオーディオアンプ装置４との同期を調整する調整方法について説明する。
【００７８】
ユーザは、まず、接続ケーブル６〜９を用いて、ディスク再生装置２と、プラズマディスプレイ装置３と、オーディオアンプ装置４とを接続する。具体的には、接続ケーブル６を用いて、ディスク再生装置２のアナログ映像出力端子（不図時）を、オーディオアンプ装置４のアナログ映像入力端子４ａに接続する。接続ケーブル７を用いて、ディスク再生装置２のアナログ音声出力端子（不図時）を、オーディオアンプ装置４のアナログ音声入力端子４ｂに接続する。接続ケーブル８を用いて、オーディオアンプ装置４のアナログ映像出力端子４ｐを、プラズマディスプレイ装置３のアナログ映像入力端子３ａに接続する。接続ケーブル９を用いて、オーディオアンプ装置４のアナログ音声出力端子４ｑを、スピーカ５およびプラズマディスプレイ装置３のアナログ音声入力端子３ｂに接続する。なお、アナログ音声入力端子３ｂとの接続は省略してもよい。
【００７９】
以上の前準備が完了した後、ユーザは、リモコンユニット１０の操作ボタン１０ａを操作するか、または、オーディオアンプ装置４の入力部４ｃを操作して同期調整処理を実行する指示を行う。
【００８０】
その結果、制御回路４ｇは、入力部４ｃまたはリモコンユニット１０から同期調整処理の要請がなされたことを検出し、まず、映像入力切換回路４ｅをアナログ映像入力端子４ａからテスト映像発生回路４ｆ側に切り換える。つづいて、制御回路４ｇは、テスト映像発生回路４ｆを制御してテスト映像信号（図４（Ａ）参照）の発生を開始させる。なお、テスト映像信号は、実施の形態１と同様に、画面全体が黒一色となる黒画面と、白一色となる白画面とをフレーム単位で交互に表示させるための信号である。
【００８１】
テスト映像発生回路４ｆから出力されたテスト映像信号は、映像入力切換回路４ｅを経由して、アナログ映像出力端子４ｐから出力される。アナログ映像出力端子４ｐから出力されたテスト映像信号は、接続ケーブル８を介してプラズマディスプレイ装置３のアナログ映像入力端子３ａに入力される。
【００８２】
プラズマディスプレイ装置３の映像Ａ／Ｄ変換部３ｃは、そのアナログ映像入力端子３ａに入力されたテスト映像信号をサンプリングし、デジタル信号に変換して出力する。信号処理部３ｄは、サンプリングデータに基づいて二次元画像データを生成し、ディスプレイドライバ３ｅは、二次元画像データに基づいて、プラズマ発光表示部３ｆのアドレス電極および表示電極の印加電圧を制御する。プラズマ発光表示部３ｆでは、アドレス電極と表示電極との電位差が高電圧になった放電セルがそれぞれの表示色で蛍光する。
【００８３】
これにより、プラズマディスプレイ装置３のプラズマ発光表示部３ｆには、図４（Ｃ）のように、１フレーム毎に、白色の表示画面と黒色の表示画面とが交互に表示される。プラズマディスプレイ装置３のプラズマ発光表示部３ｆと向かい合わせに配置されるリモコンユニット１０の可視光受光部１０ｃは、プラズマ発光表示部３ｆに表示される動画に応じた受光データを出力する。受光データは、図４（Ｄ）と同様に、プラズマ発光表示部３ｆに白色の表示画面が表示されている時と、黒色の表示画面が表示されている時とで異なる値になるので、受光データは、１フレーム毎に異なる値になる。
【００８４】
可視光受光部１０ｃが出力するこの受光データは、切換スイッチ１０ｄを介して赤外線送信部１０ｅに入力する。赤外線送信部１０ｅは、赤外線をその受光データで変調して出力する。オーディオアンプ装置４のリモコン受光部４ｒは、この赤外線送信部１０ｅから送信された赤外線を受光する。赤外線送信部４ｒは、受光した赤外線に重畳されているデータを抽出し、遅延量検出回路４ｊへ出力する。
【００８５】
遅延量検出回路４ｊは、テスト映像発生回路４ｆが出力するテスト映像信号（図４（Ａ）参照）と、リモコン受光部４ｒからの受光データ（図４（Ｄ）参照）とを比較して、遅延量Ｔｄを検出する。具体的には、遅延量検出回路４ｊは、リモコン受光部４ｒから出力される信号に含まれている受光データの値が所定の値以上変化した変化タイミングと、テスト映像発生回路４ｆが発生する映像信号のフレームの変化タイミングとの時間差を検出する。なお、このとき検出された遅延量Ｔｄは、可視光受光部１０ｃの応答時間と、赤外線送信部１０ｅ、および、リモコン受光部４ｒの応答時間ｔｄ’も含んでいるため、この値を引いた値（Ｔｄ−ｔｄ’）を、求めるべき遅延時間としてもよい。
【００８６】
遅延量検出回路４ｊが遅延量Ｔｄの検出を終了すると、制御回路４ｇは、得られた遅延量Ｔｄを取得し、これに対応する遅延データを生成し、遅延データメモリ４ｈに記憶させる。具体的には、遅延データが“１”である場合の遅延量が、例えば、１ｍｓである場合には、遅延量Ｔｄを１ｍｓで除算した値を遅延データとする。なお、遅延データメモリ４ｈは、不揮発性の半導体メモリによって構成されていることから、遅延データが一旦書き込まれた後は、オーディオアンプ装置４の電源がオフの状態にされた場合でも遅延データを保持する。
【００８７】
遅延データの設定が完了すると、制御回路４ｇは、映像入力切換回路４ｅの接続を、テスト映像発生回路４ｆからアナログ映像入力端子４ａ側に切り換える。その結果、ディスク再生装置２から出力されるアナログ映像信号が入力される状態となる。なお、遅延データの書き換えが終了した場合には、テスト映像発生回路４ｆから所定の映像を出力して、同期調整が完了したことをユーザに通知するようにしてもよい。
【００８８】
遅延データの設定が完了した後には、遅延データメモリ４ｈには、前述した処理により得られた遅延データが記憶される。したがって、その後に、たとえばディスク再生装置２で映画、コンサート、録画番組などを再生したときには、音声は、遅延データメモリ４ｈに保持されている遅延データの値にしたがって遅延されて出力される。具体的には、例えば、図４（Ａ）に示すような映像信号に同期した、図４（Ｅ）に示すような音声信号がオーディオアンプ装置４に入力された場合、プラズマ発光表示部３ｆに表示される映像は、図４（Ｃ）に示すようにＴｄだけ遅延を有するので、音声信号を遅延なしに出力すると、音声の方が映像よりも先に表示されることになる。しかしながら、デジタル遅延回路４ｉによってＴｄだけ遅延して出力すれば、図４（Ｆ）に示すように、映像と音声の出力が同期することになるので、ユーザは、動画に対する音のずれによる違和感を感ずることなく鑑賞することができる。
【００８９】
以上のように、この実施の形態２に係る同期調整システムを用いることで、アナログ映像信号に基づいてプラズマディスプレイ装置３が表示する動画と、アナログ音声信号に基づいてオーディオアンプ装置４が出力する音声とを同期させるように調整することができる。
【００９０】
また、この実施の形態２に係る同期調整システムでは、プラズマディスプレイ装置３の光をリモコンユニット１０の可視光受光部１０ｃで受光している。したがって、プラズマディスプレイ装置３の前にオーディオアンプ装置４の本体を設定することなく、同期調整をすることができる。
【００９１】
以上の各実施の形態は、本発明の好適な実施の形態の例であるが、本発明はこれに限定されるものではなく、発明の要旨を逸脱しない範囲において、種々の変形、変更が可能である。
【００９２】
たとえば、上記各実施の形態では、ディスク再生装置２、プラズマディスプレイ装置３およびオーディオアンプ装置４の間で、アナログ映像信号およびアナログ音声信号を送受している。この他にもたとえば、ディスク再生装置２、プラズマディスプレイ装置３およびオーディオアンプ装置４の間で、少なくもと動画を含むデジタル映像信号および少なくとも音声を含むデジタル音声信号を送受するようにしてもよい。
【００９３】
このようなデジタル映像信号あるいはデジタル音声信号として使用できる信号としては、たとえばＭＰＥＧ−ＴＳなどのＭＰＥＧ信号がある。ＭＰＥＧ−ＴＳには、動画および音声を格納することができる。したがって、このようにデジタルの信号で動画および音声を送受する場合、動画および音声を１つのデジタル信号として上記機器間で送受するようにしてもよい。
【００９４】
上記各実施の形態では、テスト映像としては、白画面のフレームと黒画面のフレームとが１つずつ交互に現れる動画が使用されている。この他にもたとえば、白画面のフレームと黒画面のフレームとが２つ以上続けて交互に現れる動画を使用してもよい。また、白画面のフレームが連続するフレーム数と黒画面のフレームが連続するフレーム数とが異なっていてもよい。
【００９５】
このように、白画面のフレームあるいは黒画面のフレームを数フレーム続けることで、受光部の出力信号は、そのフレーム数の時間に応じた変化になる。その結果、プラズマディスプレイ装置３における遅延時間が１フレームの周期以上となっている場合であっても、オーディオアンプ装置４が、遅延時間Ｔｄを検出することができる。
【００９６】
このような調整が可能となるように構成する場合、白画面のフレームあるいは黒画面のフレームは、たとえば１０フレーム程度ずつ連続するようにすればよい。１０フレームは、約３３０ミリ秒である。プラズマディスプレイ装置３には、画像の表示が１５０ミリ秒程度遅延するものがある。したがって、この白画面のフレームあるいは黒画面のフレームを１０フレーム程度連続させるようにすれば、プラズマディスプレイ装置３とオーディオアンプ装置４とを同期させることができる。
【００９７】
この他にもたとえば、テスト映像信号としては、白画面のフレームと黒画面のフレームとが１つずつ交互となる前に、白画面のフレームと黒画面のフレームとが所定の順番（パターン）で現れるようにしてもよい。また、遅延量検出回路４ｊは、この所定の順番（パターン）を検出してから検出処理を実行するようにすればよい。この所定の順番（パターン）は、同期パターンとして利用できる。これにより、たとえば、プラズマディスプレイ装置３における遅延時間が１フレームの周期以上となっている場合であっても、オーディオアンプ装置４は、可視光受光部４ｍ，１０ｃによる受光データに基づいて、プラズマディスプレイ装置３による１フレーム以上の遅延時間に対して音声が同期するように調整することができる。
【００９８】
この他にもたとえば、テスト映像信号に、第三の色（たとえば灰色）のフレームを追加し、この第三の色（たとえば灰色）のフレームを検出してから検出処理を実行するようにしても、プラズマディスプレイ装置３による１フレーム以上の遅延時間に対して音声が同期するように調整することができる。
【００９９】
上記各実施の形態では、可視光受光部４ｍ，１０ｃは、プラズマディスプレイ装置３が表示する動画の１画面毎の輝度を受光している。この他にもたとえば、可視光受光部４ｍ，１０ｃは、プラズマディスプレイ装置３が表示する動画の１画面の中の一部の輝度を受光するようにしてもよい。具体的にはたとえば、可視光受光部４ｍに光ファイバーなどの導光部材を設け、その導光部材の先端をプラズマディスプレイ装置３の画面の一部に貼り付けたり、リモコンユニット１０をその可視光受光部１０ｃがプラズマディスプレイ装置３の画面の一部と対向するように貼り付けたりすれば、可視光受光部４ｍ，１０ｃに、１画面の中の一部の輝度を受光させることができる。なお、図示外の吸盤部材などをリモコンユニット１０などに設け、この吸盤でリモコンユニット１０などをプラズマディスプレイ装置３の画面に貼り付ければよい。
【０１００】
このようにプラズマディスプレイ装置３の画面の一部の光を可視光受光部４ｍ，１０ｃに受光させる場合において、画面内の受光する部位は、基本的にどこであってもよいが、たとえば、画面のセンター（中央）、画面の左上、画面の右下であればよい。特に、たとえばプラズマディスプレイ装置３の代わりにブラウン管ディスプレイ装置の動画とオーディオアンプ装置４の音声との同期を調整する場合においては、電子線による走査が画面の上側から下側へなされているので、可視光受光部４ｍ，１０ｃが貼り付けられた部位が点灯あるいは消灯するタイミングが、ブラウン管ディスプレイ装置が出力する音声の変化タイミングと一致する部位とするのが望ましい。また、可視光受光部４ｍ，１０ｃを貼り付ける画面内の部位に、貼り付け位置を示すマークを画像として表示するようにしてもよい。
【０１０１】
そして、このように遅延データ設定モードのときに、プラズマディスプレイ装置３の画面の一部の光を可視光受光部４ｍ，１０ｃに受光させる場合、画面全体の光を可視光受光部４ｍ，１０ｃに受光させる場合に比べて、以下のようなメリットがある。
【０１０２】
すなわち、画面全体の光を可視光受光部４ｍ，１０ｃに受光させる場合、その画面全体の光を可視光受光部４ｍ，１０ｃに受光させるために、可視光受光部４ｍ，１０ｃは、プラズマディスプレイ装置３から離間した位置に設定することになる。そのため、可視光受光部４ｍ，１０ｃには、プラズマディスプレイ装置３以外の光、たとえば蛍光灯や電灯の光などが外光として入射する。外光は、受光データにおいてノイズ成分となる。蛍光灯や電灯の光は、商用電源の周波数（５０Ｈｚや６０Ｈｚ）で光量が波打つ。この周期は、アナログ映像信号に基づいて画面が白から黒および黒から白に切り替わる周期（約６６ミリ秒）に近い。受光データからノイズ成分を除去するのは難しい。したがって、この外光の光量が多い場合には、遅延量検出回路４ｊは、受光データに基づいて、画面が白黒に反転するタイミングを正確に判断することができない場合が生じる。
【０１０３】
これに対して、プラズマディスプレイ装置３の画面の一部の光を可視光受光部４ｍ，１０ｃに受光させる場合、可視光受光部４ｍ，１０ｃに外光が入射されることはまずない。外光が入射されることがあったとしても、その光量は、プラズマディスプレイ装置３の画面の輝度に基づく光量にくらべてずっと少なくなる。したがって、明るい室内などであっても、遅延量検出回路４ｊは、受光データに基づいて、画面が白黒に反転するタイミングを正確に判断することが可能となる。
【０１０４】
上記各実施の形態では、テスト映像信号として、表示画面の全面が白黒で変化する動画と、周波数が切り替わる音声とを使用している。この他にもたとえば、表示画面の一部が白黒で変化する動画を使用したり、表示画面の一部に所定の画像が表示されたり消えたりする動画を使用したりしてもよい。
【０１０５】
上記各実施の形態では、プラズマディスプレイ装置とオーディオアンプ装置とを組み合わせた場合において、映像と音声との同期を調整する場合を例として説明している。この他にもたとえば、ディスプレイ装置としては、液晶ディスプレイ装置、ブラウン管を用いたディスプレイ装置などがある。これら他のディスプレイ装置とオーディオアンプ装置とを組み合わせた場合においても、装置内での信号処理や映像信号の伝送経路と音声信号の伝送経路との違いなどに基づいて、再生する映像と音声との間にずれが生じることがある。このような装置の組合せであったとしても、本発明の各実施の形態に係る同期調整システムを用いて同期するように調整することで、違和感を感ずることなく映画などを鑑賞することができるようになる。
【産業上の利用可能性】
【０１０６】
本発明は、プラズマディスプレイ装置とオーディオアンプ装置とを使用するホームシアターシステムなどにおいて、それらの動画と音声とを同期させるために利用することができる。
【図面の簡単な説明】
【０１０７】
【図１】本発明の実施の形態１に係る同期調整システムの構成例を示すブロック図である。
【図２】図１に示す実施の形態１に係る同期調整システムを構成するプラズマディスプレイ装置の構成例を示すブロック図である。
【図３】図１に示す実施の形態１に係る同期調整システムを構成するオーディオアンプ装置の構成例を示すブロック図である。
【図４】図１に示す実施の形態１に係る同期調整システムの各部の信号波形を示すタイミングチャートである。
【図５】本発明の実施の形態２に係る同期調整システムを構成するオーディオアンプ装置の構成例を示すブロック図である。
【図６】本発明の実施の形態２に係る同期調整システムを構成するリモコンユニットの構成例を示すブロック図である。
【符号の説明】
【０１０８】
１  ディスク
２  ディスク再生装置（音声信号再生装置）
３  プラズマディスプレイ装置（表示装置）
４  オーディオアンプ装置（音声出力装置）
４ｂ  アナログ音声入力端子（入力手段）
４ｅ  映像入力切換回路（選択手段）
４ｆ  テスト映像発生回路（発生手段）
４ｉ  デジタル遅延回路（遅延手段）
４ｊ  遅延量検出回路（算出手段）
４ｐ  アナログ映像出力端子（供給手段）
４ｑ  アナログ音声出力端子（出力手段）
４ｒ  リモコン受信部（受信ユニット）
１０  リモコンユニット（遠隔ユニット）
１０ｃ  可視光受光部（受光手段）
１０ｅ  赤外線送信部（送信手段）
【図１】
2006217005.tif 000003
【図２】
2006217005.tif 000004
【図３】
2006217005.tif 000005
【図４】
2006217005.tif 000006
【図５】
2006217005.tif 000007
【図６】
2006217005.tif 000008